(57)【特許請求の範囲】
【請求項１】
射出成形された熱可塑性エラストマーから成る芯材（１）を有する肩パット部（８）を備え、上記芯材（１）の左右両端縁部の夫々に、所定角度（θ)(θ）で側方上傾に傾斜した立上り部（10)(10）を設け、一方の該立上り部（10）の付け根部（10ａ）に、肩部（Ｓ）に縫製するミシン糸（７）が配設され、上記立上り部（10）の付け根部（10ａ）を上記ミシン糸（７）にて肩部（Ｓ）に縫製したことを特徴とするプロテクター。
【請求項２】
射出成形された熱可塑性エラストマーから成る芯材（１）を有する肩パット部（８）を備え、上記芯材（１）の左右端縁部の少なくとも一方に、所定角度（θ）で側方上傾に傾斜した立上り部（10）を設け、
上記芯材（１）が、半円環状の断面形状を有する山部（11）と谷部（12）を弾性変形自在として左右方向に沿って交互に有する波付板状に成形され、
さらに、上記立上り部（10）の付け根部（10ａ）に、肩部（Ｓ）に縫製するミシン糸（７）が配設され、上記立上り部（10）の付け根部（10ａ）を上記ミシン糸（７）にて肩部（Ｓ）に縫製したことを特徴とするプロテクター。
【請求項３】
芯材（１）の裏面側が、身体に対応した凹曲面状に成形されている請求項１又は２記載のプロテクター。
【請求項４】
射出成形された熱可塑性エラストマーから成る裏皮（２）を有する肩パット部（８）を備え、裏皮（２）の左右両端縁部の夫々に、所定角度（θ)(θ）で側方上傾に傾斜した立上り部（20)(20）を設け、一方の該立上り部（20）の付け根部（20ａ）に、肩部（Ｓ）に縫製するミシン糸（７）が配設され、上記立上り部（20）の付け根部（20ａ）を上記ミシン糸（７）にて肩部（Ｓ）に縫製したことを特徴とするプロテクター。
【請求項５】
射出成形された熱可塑性エラストマーから成る裏皮（２）を有する肩パット部（８）を備え、裏皮（２）の左右端縁部の少なくとも一方に、所定角度（θ）で側方上傾に傾斜した立上り部（20）を設け、
上記裏皮（２）が、半円環状の断面形状を有する山部（21）と谷部（22）を弾性変形自在として左右方向に沿って交互に有する波付板状に形成され、
さらに、上記立上り部（20）の付け根部（20ａ）に、肩部（Ｓ）に縫製するミシン糸（７）が配設され、上記立上り部（20）の付け根部（20ａ）を上記ミシン糸（７）にて肩部（Ｓ）に縫製したことを特徴とするプロテクター。
【請求項６】
裏皮（２）の裏面側が、身体に対応した凹曲面状に成形されている請求項４又は５記載のプロテクター。
【請求項７】
所定角度（θ）が、30°〜60°に設定されている請求項１，２，４又は５記載のプロテクター。
【発明の詳細な説明】
【０００１】
【発明の属する技術分野】
本発明は、プロテクターに関する。
【０００２】
【従来の技術】
一般に、プロテクターは、肩を保護する肩パット部を備えている。
【０００３】
そして、従来の肩パット部は、（ポリウレタン等の）板状発泡体を、（合成皮革等の）表生地・裏生地で、サンドウィッチ状に挟むように構成されていた（例えば、特許文献１参照。）。
【０００４】
具体的に述べると、従来の肩パット部には、以下の３つの方法で製作されたものがあった。即ち、第１の肩パット部は、表生地のみを圧縮成形して凹凸形状を形成してから、その表生地と裏生地とで発泡体をサンドウィッチ状に挟んで縫製して、製作されていた。
【０００５】
第２の肩パット部は、凹凸を有する発泡体を、表生地と裏生地とで、サンドウィッチ状に挟んで縫製することにより、製作され、表面に凹凸形状が形成されていた。
【０００６】
第３の肩パット部は、板状発泡体を表生地と裏生地とでサンドウィッチ状に挟んで、金型による（冷却又は加熱）圧縮成形にて、表面に凹凸形状が形成されるように製作されていた。
【０００７】
【特許文献１】
実公平７− 37655号公報
【０００８】
【発明が解決しようとする課題】
しかしながら、従来の（３つの）肩パット部では、剛性が小さく、プロテクター本体に縫い付けた場合に、肩パット部が容易に弾性変形して、肩パット部の当初の形状（例えば、肩に沿った形状）を保持することが困難となっていた。このように、肩パット部の形状が肩に沿った形状とならず、肩の投球動作や上下左右運動を円滑に行うことができなかった。また、肩を確実に覆うことができず、肩の保護が不十分となっていた。
【０００９】
そこで、本発明は、所望形状を保持して肩を円滑に動かすことができると共に肩を保護することができる肩パット部を有するプロテクターを提供することを目的とする。
【００１０】
【課題を解決するための手段】
上述の目的を達成するために、本発明に係るプロテクターは、射出成形された熱可塑性エラストマーから成る芯材を有する肩パット部を備え、上記芯材の左右両端縁部の夫々に、所定角度で側方上傾に傾斜した立上り部を設け、一方の該立上り部の付け根部に、肩部に縫製するミシン糸が配設され、上記立上り部の付け根部を上記ミシン糸にて肩部に縫製したものである。
【００１１】
また、プロテクターは、射出成形された熱可塑性エラストマーから成る芯材を有する肩パット部を備え、上記芯材の左右端縁部の少なくとも一方に、所定角度で側方上傾に傾斜した立上り部を設け、上記芯材が、半円環状の断面形状を有する山部と谷部を弾性変形自在として左右方向に沿って交互に有する波付板状に成形され、さらに、上記立上り部の付け根部に、肩部に縫製するミシン糸が配設され、上記立上り部の付け根部を上記ミシン糸にて肩部に縫製したものである。また芯材の裏面側が、身体に対応した凹曲面状に成形されている。
【００１２】
また、射出成形された熱可塑性エラストマーから成る裏皮を有する肩パット部を備え、裏皮の左右両端縁部の夫々に、所定角度で側方上傾に傾斜した立上り部を設け、一方の該立上り部の付け根部に、肩部に縫製するミシン糸が配設され、上記立上り部の付け根部を上記ミシン糸にて肩部に縫製したものである。
【００１３】
また、プロテクターは、射出成形された熱可塑性エラストマーから成る裏皮を有する肩パット部を備え、裏皮の左右端縁部の少なくとも一方に、所定角度で側方上傾に傾斜した立上り部を設け、上記裏皮が、半円環状の断面形状を有する山部と谷部を弾性変形自在として左右方向に沿って交互に有する波付板状に形成され、さらに、上記立上り部の付け根部に、肩部に縫製するミシン糸が配設され、上記立上り部の付け根部を上記ミシン糸にて肩部に縫製したものである。また、裏皮の裏面側が、身体に対応した凹曲面状に成形されている。
【００１４】
また、所定角度が、30°〜60°に設定されている。
【００１５】
【発明の実施の形態】
以下、実施の形態を示す図面に基づき、本発明を詳説する。
【００１６】
図１の正面図に、本発明に係るプロテクターの実施の一形態を示し、本プロテクターは、肩部Ｓを有するプロテクター本体Ｍを備え、その肩部Ｓには、肩パット部８が（縫製にて）取り付けられている。なお、本プロテクターは、野球、ソフトボールなどのスポーツの、選手用、審判用に使用され、（主に胸・腹の）上半身の表て側に被覆状に装着して使用される。
【００１７】
肩パット部８は、図２の横断面図に示すように、表て側より、順次、表生地３と発泡体４と芯材１と発泡体４と裏生地５とを重ね合わせてなり、その周縁部を、縁巻部６及びミシン糸７にて、一体状に固定（縫製）されている。なお、「表て側」とは、本プロテクターを身体に装着した際に、身体と反対側をいう。
【００１８】
表生地３は、人工皮革、合成皮革等からなり、発泡体４は、ＰＵ、ＰＥ、ＥＶＡ等からなり、裏生地５は、ポリエステル、ナイロン等からなる。
【００１９】
芯材１は、射出成形された熱可塑性エラストマー（以下、ＴＰＥという）から成り、ＴＰＥとしては、例えば、ポリウレタン系、ポリエステル系、ポリエチレン系、ポリスチレン系などがある。
【００２０】
芯材１の左右両端縁部には、夫々、所定角度θで側方上傾に傾斜した立上り部10，10を設けている。そして、立上り部10の付け根部10ａに、肩パット部８を肩部Ｓに縫製するミシン糸７が配設されている。なお、「左右方向」とは、本プロテクターを身体に装着した際に、右肩と左肩とを結ぶ方向をいう。
【００２１】
そして、図２に示すように、肩パット部８が、肩部Ｓに対して、略水平に配置された状態から、（図示省略の）肩を上げていくと、図３に示すように、肩パット部８が、付け根部10ａ辺りを中心に、肩の動きに追従して（上方へ）揺動する。要するに、肩パット部８の揺動のときに、（予め傾斜している）立上り部10は、表生地３及び発泡体４及び裏生地５と共に、肩部Ｓに干渉せず、肩パット部８の揺動を阻止することがない。
【００２２】
従って、肩の上下左右運動を円滑に行うことができる。特に、投球する方の肩に肩パット部８を取り付けても、投球動作を円滑にすることができる。また、肩パット部８の左右両端縁部の夫々に立上り部10，10を設けているため、その肩パット部８を右肩用と左肩用に兼用できる。即ち、右投げの場合、右肩に左肩と同じ大きさの肩パット部８を取り付けても、投球時の運動に影響はない。
【００２３】
所定角度θは、30°〜60°に設定されており、肩を円滑かつ確実に動かせると共に肩を確実に保護する。即ち、所定角度θが30°未満では、肩パット部８の揺動の際に、立上り部10が、表生地３及び発泡体４及び裏生地５と共に、肩部Ｓに干渉して、肩パット部８の揺動を阻止するため、投球等の肩の運動に抵抗や違和感が生じる。他方、所定角度θが60°を越えると、立上り部10等にボール等の物体が接触し易くなって破損が生ずる虞れがあると共に、肩を確実に覆うことができず肩を十分に保護することができない。
【００２４】
ここで、芯材１の裏面側は、身体（肩）に対応した凹曲面状に成形されている。要するに、射出成形用金型に、上記形状を形成しておくことで、芯材１に上記形状を容易に形成することができる。
【００２５】
次に、図４の要部拡大断面図に、他の芯材１を示し、立上り部10の付け根部10ａが、凹溝を有する肉薄に形成されている。従って、ミシン糸７による縫製が容易となり、また、付け根部10ａの弾性変形により、肩パット部８の揺動を一層円滑にすることができる。
【００２６】
次に、図５の横断面図に、別の芯材１を示し、この芯材１は、山部11と谷部12を左右方向に沿って交互に有する波付板状に成形されている。即ち、山部11が表て側に突出し、谷部12が裏側に突出する。この山部11及び谷部12の断面形状は、半円環形状である。
なお、図示省略するが、山部11と谷部12を上下方向に沿って交互に成形してもよく、「上下方向」とは、本プロテクターを身体に装着した際に、頭と脚とを結ぶ方向をいう。
【００２７】
このように構成された肩パット部８によれば、ボール等が当接した際に、芯材１の弾性変形により、その衝撃を吸収すると共にその振動を減少させ、エネルギーを分散させることができる。即ち、芯材１は、弾発部材（クッション部材）としての役割を担う。
【００２８】
次に、図６の横断面図に、肩パット部８の他の実施の形態を示し、この肩パット部８は、表て側より、順次、表生地３と、発泡体４と、射出成形されたＴＰＥから成る裏皮２と、を重ね合わせてなり、その周縁部を、縁巻部６及びミシン糸７にて、一体状に固定（縫製）されている。即ち、本肩パット部８では、従来の肩パット部における裏生地の代わりに、裏皮２を用いており、強度、耐摩耗性、耐衝撃性に優れたものとなる。要するに、ＴＰＥは、耐摩耗性及び引き裂き強度のある性質を備えているため、裏皮２の破損及びちぎれを防止することができる。
【００２９】
裏皮２は、（上述した）芯材１と同様の構成・作用・効果を有し、射出成形されたＴＰＥから成り、裏皮２の左右両端縁部には、夫々、所定角度θで側方上傾に傾斜した立上り部20，20を設け、立上り部20の付け根部20ａに、肩部Ｓに縫製するミシン糸７が配設されている。この所定角度θは、30°〜60°に設定されている。さらに、裏皮２の裏面側は、身体（肩）に対応した凹曲面状に成形されている。
【００３０】
なお、図示省略するが、裏皮２の裏面に、予め、革皺模様や生地目模様等を成形してもよく、裏皮２の裏面を本革又は合成（人工）皮革のように見せて、高級感を出すことができる。要するに、射出成形用金型に、上記模様を形成しておくことで、裏皮２に上記模様を容易に形成することができる。
【００３１】
次に、図７の横断面図に、他の裏皮２を示し、この裏皮２は、左右方向に沿って山部21と谷部22を交互に有する波付板状に形成されている。即ち、山部21が表て側に突出し、谷部22が裏側に突出する。この山部21及び谷部22の断面形状は、半円環形状である。なお、図示省略するが、山部11と谷部12を上下方向に沿って交互に成形してもよい。
【００３２】
次に、図８の横断面図に、別の裏皮２を示し、この裏皮２は、表て面に、発泡体４と当接する複数の突起部23を設けている構成であり、耐衝撃性が一層向上する。
【００３３】
なお、本発明は上述の実施の形態に限定されず、本発明の要旨を逸脱しない範囲で設計変更可能である。例えば、芯材１（裏皮２）において、肩パット部８の肩部Ｓと縫製する側にのみ、立上り部10（立上り部20）を設けてもよい。
【００３４】
【発明の効果】
本発明は上述の如く構成されるので、次に記載する効果を奏する。
【００３５】
（請求項１，２によれば、）肩パット部８を、従来の肩パット部の剛性よりも大きくすることができて、プロテクター本体Ｍに取り付けた場合に、所望形状（例えば、肩に沿った形状）を保持でき、肩を円滑に動かすことができると共に肩を確実に保護することができる。また、芯材１により、肩パット部８の衝撃吸収性（クッション性）を向上させることができる。さらに、芯材１の設計の自由度が高くなり、所望の形状を容易に形成でき、かつ、芯材１の肉厚等を自由に変えることができる。また、肩パット部８は、付け根部10ａ辺りを中心に、肩部Ｓに対して揺動自在となるため、肩パット部８が肩の動き（上下動）に追従して容易に揺動し、投球時などの肩の動きを円滑に行うことができる。
（請求項１によれば、）肩パット部８の左右両端縁部の夫々に立上り部10，10を設けているため、その肩パット部８を右肩用と左肩用に兼用できる。
（請求項２によれば、）ボール等が肩パット部８へ当接した際に、山部11及び谷部12の弾性変形により、その衝撃を吸収すると共にその振動を減少させて、エネルギーを分散させ、肩に苦痛を生じさせることがなく、確実に肩を保護することができる。即ち、ボール等に対する耐衝撃性が一層向上したものとなる。
（請求項３によれば、）身体（肩）にフィット感のある肩パット部８を有するものとなる。
【００３６】
（請求項４，５によれば、）肩パット部８を、従来の肩パット部の剛性よりも大きくすることができて、プロテクター本体Ｍに取り付けた場合に、所望形状（例えば、肩に沿った形状）を保持でき、肩を円滑に動かすことができると共に肩を確実に保護することができる。また、裏皮２により、肩パット部８の衝撃吸収性（クッション性）を向上させることができる。さらに、裏皮２の設計の自由度が高くなり、所望の形状を容易に形成でき、かつ、裏皮２の肉厚等を自由に変えることができる。また、肩パット部８は、付け根部20ａ辺りを中心に、肩部Ｓに対して揺動自在となるため、肩パット部８が肩の動き（上下動）に追従して容易に揺動し、投球時などの肩の動きを円滑に行うことができる。
（請求項４によれば、）肩パット部８の左右両端縁部の夫々に立上り部20，20を設けているため、その肩パット部８を右肩用と左肩用に兼用できる。
（請求項５によれば、）ボール等が肩パット部８へ当接した際に、山部21及び谷部22の弾性変形により、その衝撃を吸収すると共にその振動を減少させて、エネルギーを分散させ、肩に苦痛を生じさせることがなく、確実に肩を保護することができる。即ち、ボール等に対する耐衝撃性が一層向上したものとなる。
（請求項６によれば、）身体（肩）にフィット感のある肩パット部８を有するものとなる。
【００３７】
（請求項７によれば、）投球等において、肩を円滑かつ確実に動かすことができる。また、肩を確実に保護する。
【図面の簡単な説明】
【図１】本発明の実施の一形態を示す正面図である。
【図２】図１のＡ−Ａ断面図である。
【図３】作用説明を兼ねた横断面図である。
【図４】他の肩パット部を示す要部拡大断面図である。
【図５】別の肩パット部を示す横断面図である。
【図６】さらに他の肩パット部を示す横断面図である。
【図７】さらに別の肩パット部を示す横断面図である。
【図８】さらに他の肩パット部を示す横断面図である。
【符号の説明】
１  芯材
２  裏皮
７  ミシン糸
８  肩パット部
10  立上り部
10ａ  付け根部
11  山部
12  谷部
20  立上り部
20ａ  付け根部
21  山部
22  谷部
Ｓ  肩部
θ  所定角度
【図１】
0003688259.tif 000002
【図２】
0003688259.tif 000003
【図３】
0003688259.tif 000004
【図４】
0003688259.tif 000005
【図５】
0003688259.tif 000006
【図６】
0003688259.tif 000007
【図７】
0003688259.tif 000008
【図８】
0003688259.tif 000009